(57)【要約】【課題】使用者に積極的かつ能動的に揺動運動をさせるとともに、この揺動運動を継続して行わせることにより、使用者の足腰の筋力向上や健康増進等を、より促進することができる揺動運動装置を提供する。【解決手段】使用者が操作して標的を射的する射的ユニットとしての弓３および矢４と、揺動運動ユニット２とは離れて設置され、移動可能な標的５を備えた標的ユニット６と、を設け、使用者が揺動運動ユニット２の座席１に着座して揺動運動する際に、弓３および矢４により標的ユニット６の標的５を射的するようになした。【選択図】図６
2007252634.tif 000002
【特許請求の範囲】
【請求項１】
使用者が着座した座席を揺動して使用者に揺動運動させる揺動運動ユニットを有し、使用者が操作して標的を射的する射的ユニットと、揺動運動ユニットとは離れて設置され、移動可能な標的を備えた標的ユニットと、を設け、使用者が揺動運動ユニットの座席に着座して揺動運動する際に、射的ユニットにより標的ユニットの標的を射的するようになしたことを特徴とする揺動運動装置。
【請求項２】
揺動運動ユニットには複数のモード選択部を備え、揺動運動ユニットは、選択されたモードに応じて、少なくとも座席の揺動の大きさ、または標的ユニットの標的の移動速度を変更するようになしたことを特徴とする請求項１記載の揺動運動装置。
【請求項３】
射的ユニットは、使用者が操作する弓と、弓から標的に向かって放たれる矢と、から構成され、標的ユニットには、揺動運動ユニットの側方に移動路を設けて、標的を移動路に沿って揺動運動ユニットの側方を前後方向に移動可能としたことを特徴とする請求項１または２記載の揺動運動装置。
【請求項４】
標的ユニットには、射的の成功を検知する検知部を設けたことを特徴とする請求項３記載の揺動運動装置。
【請求項５】
標的ユニットには、標的の画像を表示する表示部を備え、射的ユニットには、射的ユニットの照準が標的の画像と合致した際に、標的の画像を検知する画像検知部と、画像検知部を作動させるトリガと、を設け、使用者が射的ユニットの照準を標的の画像と合致させてトリガを引いた際に、画像検知部が標的の画像を検知することで標的を射的するようになしたことを特徴とする請求項１または２記載の揺動運動装置。
【発明の詳細な説明】
【技術分野】
【０００１】
本願発明は、使用者を揺動運動させることで、使用者に運動負荷を付与する揺動運動装置に関するものである。
【背景技術】
【０００２】
揺動運動装置においては、座席に使用者を着座させた状態において、この座席を揺動させて使用者に揺動運動させることにより、使用者に対して運動負荷を付与しており、使用者の足腰の筋力向上や健康増進等を図っている（特許文献１）。
【０００３】
また、使用者が高齢者や身体に障害がある非健常者等の場合には、使用者が着座した座席の前方に、癒し効果のある画像を表示する表示部を設け、その画像に同調または連動して座席を揺動させることで、使用者の健康維持や癒し効果を促進している（特許文献２）。
【特許文献１】特開２００５−０４６４９５号公報
【特許文献２】特開２００２−１７７３５０号公報
【発明の開示】
【発明が解決しようとする課題】
【０００４】
しかしながら、上記背景技術の特許文献１に記載の揺動運動装置においては、使用者は座席に着座して揺動運動のみ行っているために、次第に揺動運動に飽きてしまい、使用者の足腰の筋力向上や健康増進等の効果が得られる前に、揺動運動装置の使用を止めてしまう場合があった。
【０００５】
また、上記特許文献２に記載の技術では、対象となる使用者は高齢者や非健常者等であり、それらの使用者は、画像に同調または連動して受動的に揺動運動を行っているために、健康維持や癒し効果の促進に対しては効果を有するものの、使用者が積極的かつ能動的に揺動運動するまでには至らないため、使用者が若年者や健常者等の場合は、足腰の筋力向上や健康増進等を図ることが困難であるという問題があった。
【０００６】
本願発明はこのような上記背景技術の課題を解決するものであり、使用者に積極的かつ能動的に揺動運動させるとともに、この揺動運動を継続して行わせることで、使用者の足腰の筋力向上や健康増進等を、確実に促進することができる揺動運動装置を提供することを目的とする。
【課題を解決するための手段】
【０００７】
上記課題を解決するために、本願請求項１記載の発明は、使用者が着座した座席を揺動して使用者に揺動運動させる揺動運動ユニットを有し、使用者が操作して標的を射的する射的ユニットと、揺動運動ユニットとは離れて設置され、移動可能な標的を備えた標的ユニットと、を設け、使用者が揺動運動ユニットの座席に着座して揺動運動する際に、射的ユニットにより標的ユニットの標的を射的するようになしたことを特徴としている。
【０００８】
本願請求項２記載の発明は、上記請求項1記載の揺動運動装置において、揺動運動ユニットには複数のモード選択部を備え、揺動運動ユニットは、選択されたモードに応じて、少なくとも座席の揺動の大きさ、または標的ユニットの標的の移動速度を変更するようになしたことを特徴としている。
【０００９】
本願請求項３記載の発明は、上記請求項1または２記載の揺動運動装置において、射的ユニットは、使用者が操作する弓と、弓から標的に向かって放たれる矢と、から構成され、標的ユニットには、揺動運動ユニットの側方に移動路を設けて、標的を移動路に沿って揺動運動ユニットの側方を前後方向に移動可能としたことを特徴としている。
【００１０】
本願請求項４記載の発明は、上記請求項３記載の揺動運動装置において、標的ユニットには、射的の成功を検知する検知部を設けたことを特徴としている。
【００１１】
本願請求項５記載の発明は、上記請求項1または２記載の揺動運動装置において、標的ユニットには、標的の画像を表示する表示部を備え、射的ユニットには、射的ユニットの照準が標的の画像と合致した際に、標的の画像を検知する画像検知部と、画像検知部を作動させるトリガと、を設け、使用者が射的ユニットの照準を標的の画像と合致させてトリガを引いた際に、画像検知部が標的の画像を検知することで標的を射的するようになしたことを特徴としている。
【発明の効果】
【００１２】
本願請求項１記載の発明の揺動運動装置においては、使用者が揺動運動ユニットにおいて揺動運動しながら、射的ユニットを操作して標的ユニットに設けられた標的を射的することにより、揺動運動にゲーム的な要素を加えることができ、その結果、使用者が楽しみながら継続して使用できる揺動運動装置を提供することができる。
【００１３】
また、射的を成功させるため、使用者が、揺動に対して常時バランスを保つようにすることで、使用者に積極的かつ能動的に揺動運動を行わせることができるため、使用者の足腰の筋力向上や健康増進等を確実に促進することができる。
【００１４】
本願請求項２記載の発明の揺動運動装置においては、特に、使用者のレベルや好みに応じて射的の難易度を選択できるために、いずれの使用者であっても、楽しみながら継続して使用できる揺動運動装置を提供することができる。
【００１５】
本願請求項３記載の発明の揺動運動装置においては、特に、使用者は揺動運動をしながら弓と矢を操作して標的を射的することにより、あたかも流鏑馬を行っているかのように感じることができるとともに、上半身を側方向に捻った状態で揺動運動することにより、不安定な姿勢でバランスを保つ必要が生じることから、使用者の足腰の筋力向上や健康増進等をさらに促進することができる。
【００１６】
本願請求項４記載の発明の揺動運動装置においては、特に、射的の成功を検知することにより、その射的の成功を使用者に報知して、使用者により楽しく揺動運動装置を使用させることができる。
【００１７】
本願請求項５記載の発明の揺動運動装置においては、特に、使用者は揺動運動をしながら、銃器の様に構成された射的ユニットを操作して、表示部に表示された標的の画像を射的することにより、あたかも騎乗しながら射撃を行っているかのように感じることができる。
【発明を実施するための最良の形態】
【００１８】
図１から６は、本願発明の第１の実施形態である揺動運動装置を示している。この揺動運動装置は図１から６に示すように、使用者が着座した座席１を揺動して使用者に揺動運動させる揺動運動ユニット２を有し、使用者が操作して標的５を射的する射的ユニットとしての弓３および矢４と、揺動運動ユニット２とは離れて設置され、移動可能な標的５を備えた標的ユニット６と、を設け、使用者が揺動運動ユニット２の座席１に着座して揺動運動する際に、弓３および矢４により標的ユニット６の標的５を射的するようになしている。
【００１９】
次に、揺動運動ユニット２には複数のモード選択部としてのモード選択スイッチ７を備え、揺動運動ユニット２は、選択されたモードに応じて、少なくとも座席１の揺動の大きさ、または標的ユニット６の標的５の移動速度を変更している。
【００２０】
また、標的ユニット６には、揺動運動ユニット２の側方に移動路としてのレール２４を設けて、標的５をレール２４に沿って揺動運動ユニット２の側方を前後方向に移動可能としている。
【００２１】
さらに、標的ユニット６には、射的の成功を検知する検知部８を設けている。
【００２２】
以下、この実施形態の揺動運動装置をより具体的詳細に説明する。図１に示すように揺動運動ユニット２は、使用者が着座し、かつ揺動して使用者に揺動運動させる座席１と、下方より座席１を支持するとともに、伸縮自在に設けられた支持部９と、支持部９の下側に配置され、座席１の転倒を防止する台座１０とから構成されている。
【００２３】
ここで座席１は、乗馬用の鞍形に形成されており、使用者は、この座席１に着座して揺動運動することにより、あたかも騎乗しているかのような気分を味わうことができる。
【００２４】
上記座席１の前方側には、揺動運動ユニット２と標的ユニット６を操作する操作部１１と、使用者が把持することで、特に、使用者の着座位置を調整するとともに、着座姿勢を整えるためのハンドル１２とが設けられていて、上記操作部１１の前方側には、標的ユニット６との信号の送受信を行う送受信部１３が配置されている。また、支持部９の下部には、揺動運動ユニット２に電源を供給する電源コード１４が設けられている。
【００２５】
次に、図２に示すように、操作部１１には、三個のモード選択スイッチ７が設けられており、それぞれ、ＥＡＳＹ（簡易モード）とＮＯＲＭＡＬ（通常モード）、およびＨＡＲＤ（難関モード）のモードに分けられている。
【００２６】
また、操作部１１には、揺動運動装置を始動するＯＮスイッチ１８と停止させるＯＦＦスイッチ１９が配置されていて、さらに操作部１１には、例えば、揺動運動装置の使用時間や射的の成功回数等を表示するモニター部２０が設けられている。
【００２７】
次に、図３に示すように、弓３には弦１５が設けられており、一方、矢４の先端部には矢尻１６が取りつけられていて、矢４の後方側には、矢４の姿勢を制御するための羽根１７が設けられている。
【００２８】
図４、５に示すように、標的ユニット６は、扇形に形成され中央にマーク２０ａが付された標的５と、標的５を下方より支持する支柱２１と、この支柱２１の下側に設けられて、複数の車輪２２を備えたベース２３と、揺動運動ユニット２の側方（この場合は使用者から見て左方）の前後方向に設けられ、車輪２２が移動する移動路としてのレール２４とから構成されている。
【００２９】
扇形に形成された標的５の円弧部分は、矢４が命中すると後方に倒れるように構成されており、上記標的５の円弧部分の下側には、一対の電極２５を有する検知部８が設けられていて、矢４が標的５に命中して標的５の円弧部分が後方に倒れた場合に、倒れた標的５の円弧部分が電極２５と接触することにより、矢４による射的の成功を検知することができる。
【００３０】
また、ベース２３内には、検知部８と信号ケーブル２６を介して接続された制御部２７が設けられていて、さらにこの制御部２７は、信号ケーブル２６によりアンテナ２８に接続されており、そのアンテナ２８により検知部８の検知結果を揺動運動ユニット２の送受信部１３に送信を行うとともに、逆に送受信部１３から送信された信号を受信して制御部２７に伝達している。
【００３１】
以上の構成において、本願発明の第１の実施形態における揺動運動装置の動作を図１から６を用いて説明する。
【００３２】
使用者が、揺動運動ユニット２の支持部９の高さを調整して座席１に着座した後、ハンドル１２を把持して着座位置や着座姿勢を調整し、操作部１１に配置されたモード選択スイッチ７の中から、任意のモード選択スイッチ７を押して（ここでは例としてＮＯＲＭＡＬを選択する）、さらにＯＮスイッチ１８を押すと、座席１において、例えば前後左右方向の往復運動や円運動、または八の字運動等による揺動が開始される。
【００３３】
このとき、モード選択スイッチ７のＮＯＲＭＡＬが選択されているために、座席１の揺動の大きさは中程度に設定されている。
【００３４】
次に、使用者は、揺動する座席１により揺動運動に対して姿勢を維持できるようにバランスを取りながら、上半身をレール２４が設けられている左方に捻り、あらかじめ携帯しておいた弓３に矢４をセットして、弦１５を引きながら矢４の照準を左方に向けて待機する。
【００３５】
一方、ＯＮスイッチ１８が押されてから一定時間が経過すると、座席１に設けられた送受信部１３より無線信号が送信され、この無線信号は、揺動ユニット２の前方側に設けられた標的ユニット６のアンテナ２８において受信された後、信号ケーブル２６により制御部２７へ伝えられる。
【００３６】
信号を受けた制御部２７は車輪２２を駆動させ、この駆動された車輪２２がレール２４上を移動することにより、標的５が、座席１に着座した使用者の左方を中程度の速度で移動し（ここでは使用者の左方を前方側から後方側へ移動する）、使用者は、移動する標的５のマーク２０ａに対して、弓３にセットした矢４の照準を合わせ、標的５に向けて矢４を放つことにより標的５の射的を行う。
【００３７】
ここで、標的５に矢４が命中した場合、すなわち射的が成功した場合は、標的５の上側の扇側部分が後方に倒れることによって、その扇形部分の裏面が検知部８に設けられた電極２５に接触することにより、検知部８が矢４の命中を検知して、信号ケーブル２６により制御部２７に送信する。
【００３８】
信号を受けた制御部２７は、アンテナ２８より送受信部１３に対して無線信号を送信して、この無線信号を受信した送受信部１３は、操作部１１に設けられたモニター部２０に、例えば命中回数１回等のように表示を行うことで使用者に報知しており、使用者は、モニター部２０の表示を見ることで、自己の射的の成功回数を確認することができる。
【００３９】
射的が終了した使用者は、再び揺動する座席１により揺動運動に対して姿勢を維持できるようにバランスを取りながら、上半身をレール２４が設けられている左方に捻り、弓３に次の矢４をセットして、弦１５を引きながら矢４の照準を左方に向けて待機する。
【００４０】
また、標的ユニット６においては、後方に倒れた標的５の上側の扇側部分が起き上がるとともに、制御部２７が車輪２２を逆方向に駆動して標的５を前方側に移動させ、一定時間が経過した後に、再び車輪２２を駆動することにより、標的５が使用者の左方を前方側から後方側へ移動する。
【００４１】
一方、標的５に矢４が命中しなかった場合、すなわち射的が成功しなかった場合は、標的５が後方に倒れないため、検知部８は矢４の命中を検知することなく、標的５はレール２４上を後方側まで移動した後、制御部２７は、車輪２２を逆転させて標的５を前方側に移動させる。その後一定時間が経過した後に、再び車輪２２を駆動することにより、標的５が使用者の左方を前方側から後方側へ移動する。
【００４２】
上記の繰り返しによって、使用者が標的５に矢４を命中させようと射的に夢中になることで、長時間にわたり揺動運動装置の使用を続けるとともに、揺動運動装置の使用が終わった後も、さらに矢４の命中回数を増やしたいという願望が生まれるために、再度揺動運動装置を使用することから、使用者に長期間にわたり継続して揺動運動装置を使用させることができる。
【００４３】
さらに使用者は、射的を成功させるために座席１の揺動に対して、上半身を左方に捻った不安定な姿勢で常時バランスを保つようにすることから、きわめて積極的かつ能動的に揺動運動を行うことになるため、使用者の足腰の筋力向上や健康増進等を、より確実に促進することができる。
【００４４】
そして、使用者は、乗馬用の鞍形に形成された座席１に着座して揺動運動しながら、弓３と矢４を操作して標的５を射的することにより、あたかも騎乗して流鏑馬を行っているかのように感じることができる。
【００４５】
また、使用者が射的に成功できない場合は、操作部１１に配置されたモード選択スイッチ７の中から、ＥＡＳＹを選択することにより、座席１の揺動の大きさは小さく設定され、使用者は、座席１の揺動に対して容易にバランスを保つことができる。
【００４６】
同時に、標的５が移動する速度も遅くなるために、使用者は、標的５に対して容易に矢４を命中させることができるようになることで、射的の成功回数を多くすることができるために、使用者に、射的の成功に対する喜びを感じさせることで、揺動運動装置の使用を諦めずに継続させることができる。
【００４７】
逆に、使用者が射的に容易に成功できる場合は、モード選択スイッチ７の中から、ＨＡＲＤを選択することで、座席１の揺動の大きさは大きく設定されるため、座席１の揺動に対してバランスを保つことが困難になる。
【００４８】
合わせて、標的５が移動する速度が速くなるため、標的５に対して容易に矢４を命中させることが困難になってしまい、射的の成功回数が低下するため、使用者により高い目標を与えて、揺動運動装置の使用を継続させることができる。
【００４９】
上述したように、使用者のレベルや好みに応じて、座席１の揺動の大きさや標的５の移動速度を変更することで、射的の難易度を変化させることができ、いずれの使用者であっても、楽しみながら継続して揺動運動装置を使用することができる。
【００５０】
使用者が、操作部１１のＯＦＦスイッチ１９を押すと、座席１の揺動が停止するとともに、送受信部１３から送信された信号を受信した制御部２７が、車輪２２の駆動を停止させることで標的ユニット６が停止して、揺動運動装置の運転が終了する。
【００５１】
以上のように本願発明の第１の実施形態によれば、使用者に長期間にわたり継続して揺動運動装置を使用させるとともに、不安定な姿勢で積極的かつ能動的に揺動運動を行わせて、筋力向上や健康増進等を確実に促進させることができる。
【００５２】
また、使用者に、あたかも流鏑馬を行っているかのように感じることができ、かつ使用者のレベルや好みにかかわらず、楽しみかつ継続して使用可能な揺動運動装置を提供することができる。
【００５３】
図７から９は、本願発明の第２の実施形態である揺動運動装置を示している。ここでは、上記第１の実施形態と相違する事項についてのみ説明し、同様の構成や作用効果等を有するものについては上記第１の実施形態の説明を援用する。
【００５４】
本願発明の第２の実施形態が上記第１の実施形態と異なる部分は、図７から９に示すように、標的ユニット６が、ブラウン管等の表示部としての画面２９を有する画像表示機３０から構成されていることと、標的５が画像表示機３０の画面２９に表示されていること、および射的ユニットが、標的５の画像の光を検知する、光センサからなる画像検知部３１と、この画像検知部３１を作動させるトリガ３２とを備えたモデルガン３３により構成されているところである。
【００５５】
ここで、画面２９に表示された標的５は、画面２９に沿って、例えば、上下方向や左右方向等任意の方向に移動できるようになっており、また、揺動運動ユニット２と画像表示機３０、および画像表示機３０とモデルガン３３は、それぞれ信号ケーブル２６によって接続されている。
【００５６】
また、画像検知部３１は、モデルガン３３の銃口内に取りつけられており、モデルガン３３の照準が画面２９に表示された標的５と合致し、かつトリガ３２が引かれたときに、標的５を検知することができる。
【００５７】
上記差異をふまえて、本願発明の第２の実施形態における揺動運動装置の動作について図７から９を用いて説明する。
【００５８】
使用者が、揺動運動ユニット２の支持部９の高さを調整して座席１に着座してから、モード選択スイッチ７のＮＯＲＭＡＬが選択して、座席１が揺動を開始するまでは、上記第１の実施形態と同様である。
【００５９】
このとき、モード選択スイッチ７のＮＯＲＭＡＬが選択されているために、座席１の揺動の大きさは中程度に設定されている。
【００６０】
次に、使用者は、揺動する座席１により揺動運動に対して姿勢を維持できるようにバランスを取りながら、あらかじめ携帯しておいたモデルガン３３の照準を、画像表示機３０の画面２９に向けて待機する。
【００６１】
一方、ＯＮスイッチ１８が押されてから一定時間が経過すると、揺動運動ユニット２から信号ケーブル２６により画像表示機３０へ信号が送信され、信号を受信した画像表示機３０は、画面２９に標的５を表示させる。ここで、モード選択スイッチ７のＮＯＲＭＡＬが選択されていることから、画面２９に表示された標的５は、中程度の速度で画面２９上を移動している。
【００６２】
次に使用者は、画面２９上を移動する標的５にモデルガン３３の照準を合わせて、モデルガン３３のトリガ３２を引くことにより標的５の射的を行うが、トリガ３２を引くとモデルガン３３の先端部に設けられた画像検知部３１が作動し、このとき、画像検知部３１が標的５の光を検知することができた場合は標的５に命中したことになり、モデルガン３３による標的５の射的が成功する。
【００６３】
上記射的が成功した場合は、画像表示機３０から信号ケーブル２６により揺動運動ユニット２へ信号が送信され、信号を受信した揺動運動ユニット２は、操作部１１に設けられたモニター部２０に、例えば命中回数１回等のように表示を行うことで使用者に報知しており、使用者は、モニター部２０の表示を見ることで、自己の射的の成功回数を確認することができる。
【００６４】
射的が成功すると、命中した標的５が画面２９上から消失し、次の標的５が画面２９上に表示され、使用者は、表示された標的５を再び射的する。
【００６５】
上記の繰り返しによって、使用者が標的５への命中を成功させようと射的に夢中になることで、長時間にわたり揺動運動装置の使用を続けるとともに、揺動運動装置の使用が終わった後も、さらに標的５への命中回数を増やしたいという願望が生まれるために、再度揺動運動装置を使用することから、使用者に長期間にわたり継続して揺動運動装置を使用させることができる。
【００６６】
さらに、使用者は、射的を成功させるために、座席１の揺動に対して常時バランスを保つようにすることから、積極的かつ能動的に揺動運動を行うことになるため、使用者の足腰の筋力向上や健康増進等を確実に促進することができる。
【００６７】
そして、使用者は、馬の鞍形に形成された座席１に着座して揺動運動しながら、モデルガン３３を操作して標的５を射的することにより、あたかも騎乗しながら射撃を行っているかのように感じることで、例えば西部劇の主人公の気分を味わうことができる。
【００６８】
また、使用者が射的に成功できない場合は、操作部１１に配置されたモード選択スイッチ７の中から、ＥＡＳＹを選択することにより、座席１の揺動の大きさは小さく設定され、使用者は、座席１の揺動に対して容易にバランスを保つことができる。
【００６９】
同時に、標的５が移動する速度も遅くなるために、使用者は、標的５に容易に命中させることができるようになることで、射的の成功回数を多くすることができることから、使用者に揺動運動装置の使用を諦めさせないようにすることができる。
【００７０】
逆に、使用者が射的に容易に成功できる場合は、モード選択スイッチ７の中から、ＨＡＲＤを選択することで、座席１の揺動の大きさは大きく設定されるため、座席１の揺動に対してバランスを保つことが困難になる。
【００７１】
合わせて、標的５が移動する速度が速くなるため、標的５に容易に命中させることが困難になってしまい、射的の成功回数が低下することから、使用者により高い目標を与えて、揺動運動装置の使用を飽きさせないようにすることができる。
【００７２】
上述したように、使用者のレベルや好みに応じて、座席１の揺動の大きさや標的５の移動速度を変更することで、射的の難易度を変化させることができ、いずれの使用者であっても楽しみながら継続して、揺動運動装置を使用することができる。
【００７３】
使用者が、操作部１１のＯＦＦスイッチ１９を押すと、座席１の揺動が停止するとともに、信号ケーブル２６により送信された信号を受信した画像表示機３０が、標的５の表示を停止することで揺動運動装置の運転が終了する。
【００７４】
以上のように本願発明の第２の実施形態によれば、使用者に長期間にわたり継続して揺動運動装置を使用させるとともに、積極的かつ能動的にバランス運動を行わせて、筋力向上や健康増進等を確実に促進させることができる。
【００７５】
また、使用者に、あたかも騎乗しながら射撃を行っているかのように感じることができ、かつ使用者のレベルや好みにかかわらず、楽しみながら継続して使用できる揺動運動装置を提供することができる。
【００７６】
なお、上記本願発明の実施形態においては、モード選択スイッチ７により、座席１の揺動の大きさや標的５の移動速度を変更しているが、使用者の射的の成功回数に応じて変更するようにしても良い。
【００７７】
例えば、一定時間あたりの射的の成功回数が多い場合は、座席１の揺動を大きくするとともに、標的５の移動速度を速くなるように変更し、逆に、一定時間あたりの射的の成功回数が少ない場合は、座席１の揺動を小さくするとともに、標的５の移動速度を遅くなるように変更することが好ましい。
【００７８】
また、上記第２の実施形態において、画面２９に複数の標的５を表示させて、この複数の標的５に対して、連続的に射的を行うようにしても良く、射的の成功回数を画面２９に表示させるようにしてもよい。
【図面の簡単な説明】
【００７９】
【図１】本願発明の第１の実施形態である揺動運動装置における揺動運動ユニットの斜視図。
【図２】同揺動運動装置における揺動運動ユニットのモニター部の拡大平面図。
【図３】（ａ）同揺動運動装置における弓の側面図。（ｂ）同揺動運動装置における矢の側面図。
【図４】同揺動運動装置における標的ユニットの正面図。
【図５】同揺動運動装置における標的ユニットの側面図（射的成功後）。
【図６】同揺動運動装置における使用状況を示す全体構成図。
【図７】本願発明の第２の実施形態である揺動運動装置における標的ユニットの正面図。
【図８】同揺動運動装置におけるモデルガンの側面図。
【図９】同揺動運動装置における使用状況を示す全体構成図。
【符号の説明】
【００８０】
１  座席
２  揺動運動ユニット
３  弓（射的ユニット）
４  矢（射的ユニット）
５  標的
６  標的ユニット
７  モード選択スイッチ（モード選択部）
８  検知部
２４  レール（移動路）
２９  画面（表示部）
３１  画像検知部
３２  トリガ
３３  モデルガン（射的ユニット）
【図１】
2007252634.tif 000003
【図２】
2007252634.tif 000004
【図３】
2007252634.tif 000005
【図４】
2007252634.tif 000006
【図５】
2007252634.tif 000007
【図６】
2007252634.tif 000008
【図７】
2007252634.tif 000009
【図８】
2007252634.tif 000010
【図９】
2007252634.tif 000011